(57)【要約】【課題】隔壁の下面にバリアフィルム層を備えた注出キャップにおいて、開封前のバリア性を確保しながらも、プルリングの引き上げにより容易に開封可能な注出キャップを提供する。【解決手段】注出開口６が形成される隔壁２ｆを有し、内容液を収容する容器５の口部５ａに取り付けられる注出キャップ１であって、隔壁２ｆは、該隔壁２ｆの上面に連結片２ｊを介して一体連結されたプルリング２ｋの引き上げにより、薄肉とした破断予定線２ｈに沿って破断除去されて注出開口６を形成する除去部２ｉを有するとともに、該隔壁２ｆの下面に、除去部２ｉ及び破断予定線２ｈを含む領域を被覆するように積層させたバリアフィルム層７を有し、該バリアフィルム層７は、連結片２ｊの基端部近傍に位置し、該バリアフィルム層７の下面又は上面に開口する非貫通のスリット８を有することを特徴とする。【選択図】図１
2015227194.tif 000002
【特許請求の範囲】
【請求項１】
注出開口が形成される隔壁を有し、内容液を収容する容器の口部に取り付けられる注出キャップであって、
前記隔壁は、該隔壁の上面に連結片を介して一体連結されたプルリングの引き上げにより、薄肉とした破断予定線に沿って破断除去されて前記注出開口を形成する除去部を有するとともに、
該隔壁の下面に、前記除去部及び前記破断予定線を含む領域を被覆するように積層させたバリアフィルム層を有し、
該バリアフィルム層は、前記連結片の基端部近傍に位置し、該バリアフィルム層の下面又は上面に開口する非貫通のスリットを有することを特徴とする注出キャップ。
【発明の詳細な説明】
【技術分野】
【０００１】
本発明は、醤油やドレッシング等の内容液を収容する容器の口部に取り付けられて、プルリングの引き上げにより開封される注出キャップに関する。
【背景技術】
【０００２】
醤油やドレッシング等の内容液を収容する容器の口部には、内容液を注出するための注出キャップが取り付けられる。このような注出キャップは、開封前においては容器を密封し、プルリングの引き上げにより隔壁の一部を破断して取り除くことで容器を開封（開栓）して、形成された注出開口から内容液を注出する。
【０００３】
このような注出キャップとして、金属箔や樹脂（プラスチック）製のバリアフィルムを注出キャップ（注出口栓）の隔壁下面に一体的に積層することにより、開封前の注出キャップのバリア性を向上させたものがある（例えば、特許文献１参照）。このような注出キャップにおいては、プルリングの引き上げにより隔壁の除去部を引きちぎる際に、除去部と一体のバリアフィルム層が破断して、当該除去部とともに取り除かれる構成とされている。
【先行技術文献】
【特許文献】
【０００４】
【特許文献１】実開平４−１０６２５２号公報
【発明の概要】
【発明が解決しようとする課題】
【０００５】
しかしながら、このような注出キャップにおいては、バリアフィルムが延伸変形し易い等の原因により、プルリングを引き上げた際にバリアフィルムが容易に破断されない場合があり、除去部を引きちぎる際に大きな力が必要となったり、隔壁の除去部が取り除かれてもバリアフィルム層が残存して開封できなかったりする可能性がある。
【０００６】
それゆえ、本発明は、隔壁の下面にバリアフィルム層を備えた注出キャップにおいて、開封前のバリア性を確保しながらも、プルリングの引き上げにより容易に開封可能な注出キャップを提供することを目的とする。
【課題を解決するための手段】
【０００７】
上記課題を解決するため、本発明に係る注出キャップは、注出開口が形成される隔壁を有し、内容液を収容する容器の口部に取り付けられる注出キャップであって、
前記隔壁は、該隔壁の上面に連結片を介して一体連結されたプルリングの引き上げにより、薄肉とした破断予定線に沿って破断除去されて前記注出開口を形成する除去部を有するとともに、
該隔壁の下面に、前記除去部及び前記破断予定線を含む領域を被覆するように積層させたバリアフィルム層を有し、
該バリアフィルム層は、前記連結片の基端部近傍に位置し、該バリアフィルム層の下面又は上面に開口する非貫通のスリットを有することを特徴とする。
【発明の効果】
【０００８】
本発明によれば、隔壁の下面にバリアフィルム層を備えた注出キャップにおいて、開封前のバリア性を確保しながらも、プルリングの引き上げにより容易に開封可能な注出キャップを提供することができる。
【図面の簡単な説明】
【０００９】
【図１】本発明に従う注出キャップの一実施形態における側面側から見た断面図および、部分拡大図である。
【発明を実施するための形態】
【００１０】
以下、本発明の実施の形態を図面に基づいて詳細に説明する。
図１に示すように、本発明の一実施形態である注出キャップ１は、キャップ本体２と開閉蓋３およびヒンジ４を有しており、開閉蓋３はヒンジ４によりキャップ本体２に連結されている。この注出キャップ１は樹脂製となっており、キャップ本体２、開閉蓋３及びヒンジ４は、例えば樹脂材料の射出成形等により、一体に形成されている。開閉蓋３とキャップ本体２については、ヒンジに代えてねじによる嵌合等で取り付けることもできる。
【００１１】
キャップ本体２は、互いに同心に配置される円筒形状の外筒２ａおよび内筒２ｂを備えている。外筒２ａと内筒２ｂは軸方向の一端側において天壁２ｃにより連結され、軸方向の他端側に開口する取付け溝２ｄが外筒２ａと内筒２ｂとの間に設けられている。外筒２ａは内筒２ｂよりも軸方向長さが長く形成されており、その内筒２ｂよりも軸方向の他端側に突出する部分の内周面には、径方向内側に向けて突出する環状の係止凸部２ｅが一体に設けられている。
【００１２】
キャップ本体２は、その取付け溝２ｄに容器５の口部５ａの先端が挿入（打栓）され、係止凸部２ｅが凸部５ｂにアンダーカット係合することにより、容器５の口部５ａに取り付けられる。キャップ本体２が取り付けられる容器５は、例えば、ガラス製や樹脂製のビンであり、その内部には、例えば醤油やドレッシング等の内容液が収容される。
尚、容器５の凸部５ｂとキャップ本体２の止凸部２ｅに代えて、ねじによる嵌合等で取り付けることもできる。
【００１３】
キャップ本体２の内筒２ｂの径方向内側には、隔壁２ｆが一体に設けられて、容器５の口部５ａを覆っている。またキャップ本体２は、隔壁２ｆの外周縁から上方に延びる注出筒２ｇが一体に設けられており、この注出筒２ｇは、キャップ本体２と同心の円筒状に形成されている。なお、本実施形態において注出筒２ｇのヒンジ４側を向く所定範囲の部分は、その突出高さが他の部分よりも低くされ、また、注出筒２ｇの先端部分は径方向外側に広げられたリップ形状となっているが、注出筒２ｇの形状は特に限定されるものではない。
【００１４】
また、本実施形態において隔壁２ｆは円形の平板状であり、この隔壁２ｆには、薄肉に形成した破断予定線２ｈが平面視で略ひし形状に設けられており、この破断予定線２ｈに囲まれた部分が除去部２ｉとなっている。隔壁２ｆの除去部２ｉには、ヒンジ４側の外周縁付近を基端部としてその上面から延びる連結片２ｊを有し、この連結片２ｊの上端には略円環状のプルリング２ｋが一体に設けられている。また、プルリング２ｋの引き上げにより除去部２ｉを取り除いた部分が、内容液を注出する際の注出開口６となる。なお、平面視での破断予定線２ｈの形状（すなわち、除去部２ｉ及び注出開口６の形状）は特に限定されず、任意の形状とすることができ、例えば楕円形状、多角形状等とすることができる。また、本実施形態では、破断予定線２ｈを、隔壁２ｆの上下面側から凹部を形成するようにして薄肉としているが、何れか一方側のみに凹部を形成した構成としてもよい。
【００１５】
隔壁２ｆの下面側には、除去部２ｉ及び破断予定線２ｈを含む領域を被覆するように積層されたバリアフィルム層７が一体的に設けられている。なお、本実施形態においてバリアフィルム層７は隔壁２ｆの下面全体を覆っているが、これに限定されず、バリアフィルム層７の領域は任意に設定することができる。また、バリアフィルム層７は、予め形成した平面状の単層または複数層のバリアフィルムをインサート材としたインサート成型により隔壁２ｆの下面に密着させて積層することができ、薄肉とした破断予定線２ｈに形成される凹部にも隙間なく形成される。
【００１６】
バリアフィルム層７は、少なくとも１層の樹脂製又は金属製のバリア層７ａを含む。また、バリア層７ａは、酸素バリア性、炭酸ガスバリア性、水分バリア性、有効成分の逃散抑止性等の使用目的を考慮して適宜選択することができる。バリア層７ａが樹脂製の層である場合、その材料としては、例えば、ＥＶＯＨ（エチレン―ビニルアルコール共重合樹脂）、ＭＸナイロン、シリカ蒸着ＯＰＰ（二軸延伸ポリプロピレン）、アルミナ蒸着ＯＰＰ、ＰＥＴ−Ｇ（グリコール変性ポリエステル（ポリシクロヘキシレンジメチレンテレフタレート））等を使用することができる。また、これらの樹脂からなるフィルムを、単層で用いてもよいし、あるいはこれらの材料からなる複数の層を積層した積層フィルムとして使用することもできる。なお、本実施形態においては、樹脂製のバリア層７ａを１層とし、バリアフィルム層７全体としては、図１の拡大図に示すように、上側（隔壁２ｆ側）から、直鎖状低密度ポリエチレン（ＬＬＤＰＥ）樹脂層７ｂ、接着層７ｃ、バリア層７ａ、接着層７ｄ、直鎖状低密度ポリエチレン（ＬＬＤＰＥ）樹脂層７ｅの順に積層された５層の構成となっている。さらに、バリア層はアルミ箔（アルミラミネートフィルム）等の金属箔としてもよく、この場合、バリアフィルム層７を、例えば隔壁２ｆ側から直鎖状低密度ポリエチレン（ＬＬＤＰＥ）樹脂層、接着層、バリア層、OP（Over Print）ニス層の順に積層された４層の構成とすることができる。
【００１７】
バリアフィルム層７には、連結片２ｊの基端部近傍に位置し、該バリアフィルム層７の下面に開口する非貫通のスリット８が形成されている。なお、スリット８は、バリアフィルム層７の上面に開口する構成としてもよいし、上面に開口するスリット８に加え、さらに下面に開口するスリット８を設けても良い。本実施形態においてスリット８は、最も下方の直鎖状低密度ポリエチレン（ＬＬＤＰＥ）樹脂層７ｅ下面に開口し、バリア層７ａの手前の接着層７ｄで終端している。また、平面視でのスリット８の形状は特に限定されず、バリアフィルム層７の強度等に応じて適宜設定することができるが、例えば、破断予定線２ｈに沿って延び、連結片２ｊの幅と同等の長さを有する形状とすることができる。また、本実施形態においてスリット８は、連結片２ｊの基端部近傍、かつ、破断予定線２ｈによって形成される凹部の底部中央付近に形成されている。スリット８の形成範囲としては、図１に示すように、破断予定線２ｈにおいて最も薄肉となる薄肉部分を中心とした、当該薄肉部分の幅ｘ１の約２倍の幅ｘ２(連結片の基部〜注出筒の基部)の範囲内とし、また、Ａ−Ａ断面図に示すように、平面視で、連結片２ｊ基端部の最大幅となる位置から、キャップ本体２の中心軸線を中心として放射状に延ばした一対の線の内側範囲ｙとすることができる。スリット８は、プルリング２ｋによって破断予定線を引き裂く際、破断し易くするための「きっかけ」として機能するものであり、上記形成範囲内であれば、スリット８を設ける範囲は自由に設定できる。またスリット８は、一つでも複数個所設けてもよい。さらに、スリット８は、上記薄肉部分における径方向中央位置から外端までの範囲に形成されることが好ましく、これによれば、バリアフィルム層７の破断がより容易となる。
【００１８】
プルリング２ｋの引き上げにより隔壁２ｆが破断予定線２ｈを起点として破断される際、バリアフィルム層７はスリット８を起点として破断し、除去部２ｉに対応する領域のバリアフィルム層７が、除去部２ｉとともに除去される。その結果、容器５は開封され、隔壁２ｆに所期した形状の注出開口６が形成される。
【００１９】
以上のように、本実施形態の注出キャップ１によれば、隔壁２ｆを破断する際に、スリット８を起点としてバリアフィルム層７を破断することができるので、除去部２ｉを引きちぎる際に大きな力が必要となったり、隔壁２ｋの除去部２ｉが取り除かれてもバリアフィルム層７が残存して開封できなかったりすることなく、プルリング２ｋの引き上げにより容易に容器５を開封することができる。また、スリット８がバリアフィルム層７を貫通していると、十分なバリア性を確保できない虞があるため、本発明の注出キャップ１においてはスリット８がバリアフィルム層７を貫通しない構成としたことにより、開封前のバリア性の低下を抑制することができる。
【００２０】
また、本発明の注出キャップ１にあっては、スリット８がバリアフィルム層７の下面に開口するとともに、バリア層７ａの手前、又は該バリア層の下面で終端する構成とすることが好ましく、これによれば、所期したバリア性をより確実に確保することが可能となる。さらに、スリット８は、破断予定線２ｈによって形成される凹部の位置で、破断予定線２ｈに沿うように形成することが好ましく、これによれば、より確実にバリアフィルム層７を破断し、除去部２ｉとともに除去することが可能となる。
【００２１】
本発明に従う注出キャップは、上述した実施形態に限定されるものではなく、特許請求の範囲に従う範囲で種々の変更が可能である。例えば、上記の実施形態では、キャップ本体２を容器５の口部５ａに対してアンダーカットにより嵌合する構成としたが、ねじ込みや圧入等の他の手段によって係合保持する構成としてもよい。
【符号の説明】
【００２２】
１  注出キャップ
２  キャップ本体
２ａ  外筒
２ｂ  内筒
２ｃ  天壁
２ｄ  溝
２ｅ  係止凸部
２ｆ  隔壁
２ｇ  注出筒
２ｈ  破断予定線
２ｉ  除去部
２ｊ  連結片
２ｋ  プルリング
３  開閉蓋
４  ヒンジ
５  容器
５ａ  口部
６  注出開口
７  バリアフィルム層
８  スリット
【図１】
2015227194.tif 000003